(57)【要約】      （修正有）【課題】隔離室の入室者による破壊行為の抑止に加えて、水の浪費などの悪戯行為を抑止し、隔離室内の衛生状態を良好に維持するとともに節電・節水を実現する隔離室への給水システムを提供する。【解決手段】隔離室１には、フラッシュバルブ（便器側バルブ１２、手洗い器側バルブ１３）が収容された密閉箱型ケース７が設置されるとともに、各バルブ１２，１３を近傍操作するための押しボタンスイッチ５，６が操作面を表出させて壁２内に埋め込まれて設置され、看守室８には、押しボタンスイッチ５，６による近傍操作を点灯によって表示するとともに各バルブ１２，１３を遠隔操作可能な照光式の押しボタンスイッチと、近傍操作のみを可能にするか、近傍操作を不能にして押しボタンスイッチによる遠隔操作のみを可能にするか、近傍操作及び遠隔操作の両方を不能にするかを切り換える切換えスイッチとを備えた。【選択図】図１
0003145285.tif 000002
【実用新案登録請求の範囲】
【請求項１】
看守室から離れた場所にある隔離室への給水システムであって、
前記隔離室には、該室内に向けて給水制御するフラッシュバルブが収容された密閉箱型ケースが壁内に埋め込まれて設置されるとともに、前記フラッシュバルブを近傍操作するための押しボタンスイッチが操作面を表出させて壁内に埋め込まれて設置されており、
前記看守室には、前記隔離室側の押しボタンスイッチによる近傍操作を点灯によって表示するとともに前記フラッシュバルブを遠隔操作可能な照光式の押しボタンスイッチと、前記隔離室側の押しボタンスイッチによる近傍操作のみを可能にするか、前記隔離室側の押しボタンスイッチによる近傍操作を不能にして前記看守室側の押しボタンスイッチによる遠隔操作のみを可能にするか、前記隔離室側の押しボタンスイッチによる近傍操作及び前記看守室側の押しボタンスイッチによる遠隔操作の両方を不能にするかを切り換える切換えスイッチとを備えた操作パネルが設置されていることを特徴とする隔離室への給水システム。
【請求項２】
前記隔離室内には、便器と、手洗い器とが設置されており、
前記フラッシュバルブが、前記便器への給水を制御する便器側バルブと、前記手洗い器への給水を制御する手洗い器側バルブとからなることを特徴とする請求項１記載の隔離室への給水システム。
【請求項３】
前記切換えスイッチにて前記隔離室側の押しボタンスイッチによる近傍操作及び前記看守室側の押しボタンスイッチによる遠隔操作の両方を不能にしたときには、前記フラッシュバルブへの給電が遮断されることを特徴とする請求項１又は２記載の隔離室への給水システム。
【考案の詳細な説明】
【技術分野】
【０００１】
本考案は、収容施設において他室から隔離された隔離室への給水システムに関する。
【背景技術】
【０００２】
病院や拘置所などの収容施設には精神不安定者などを一時的に入室させるために看守室やその他の室から離れた場所に隔離室（保護室と呼ばれることもある）がある。ところが、この隔離室の入室者が室内に設置されている便器や手洗い器を破壊したり、配管などを取り外したりすることがあった。
【０００３】
そのため、例えば下記特許文献１に開示される手洗いユニット装置などは、室内の便器や手洗い器の配管が密閉箱型ケース内に収容され、この箱型ケースが壁内に埋め込まれて設置されることで配管を露出させないようにして、入室者による破壊行為を抑止している。
【特許文献１】特開２００５−１６０５０９号公報
【考案の開示】
【考案が解決しようとする課題】
【０００４】
しかしながら、上述したような破壊行為とは別に、入室者が便器や手洗い器に水を流し続けたり、或いは用便後に故意に水を流さなかったりすることがあった。このような悪戯行為は、看守が巡回中に気付いたときは対処することができるが、看守室に居るときには次に看守が巡回するまで放置されることがあり、看守がこれを気付かずにいると、隔離室内が水浸しになったり、悪臭がしたりして不衛生となっていた。さらに、水の浪費などによってコストが嵩んでいた。
【０００５】
そこで本考案は、上記状況に鑑みてなされたもので、隔離室の入室者による破壊行為の抑止に加えて、水の浪費などの悪戯行為を抑止し、隔離室内の衛生状態を良好に維持するとともに節電・節水を実現する隔離室への給水システムを提供することを目的としている。
【課題を解決するための手段】
【０００６】
次に、上記の課題を解決するための手段を、実施の形態に対応する図面を参照して説明する。
本考案の請求項１記載の隔離室への給水システムは、看守室８から離れた場所にある隔離室１への給水システムであって、
前記隔離室１には、該室１内に向けて給水制御するフラッシュバルブ１２，１３が収容された密閉箱型ケース７が壁２内に埋め込まれて設置されるとともに、前記フラッシュバルブ１２，１３を近傍操作するための押しボタンスイッチ５，６が操作面を表出させて壁２内に埋め込まれて設置されており、
前記看守室８には、前記隔離室側の押しボタンスイッチ５，６による近傍操作を点灯によって表示するとともに前記フラッシュバルブ１２，１３を遠隔操作可能な照光式の押しボタンスイッチ２１，２２と、前記隔離室側の押しボタンスイッチ５，６による近傍操作のみを可能にするか、前記隔離室側の押しボタンスイッチ５，６による近傍操作を不能にして前記看守室側の押しボタンスイッチ２１，２２による遠隔操作のみを可能にするか、前記隔離室側の押しボタンスイッチ５，６による近傍操作及び前記看守室側の押しボタンスイッチ２１，２２による遠隔操作の両方を不能にするかを切り換える切換えスイッチ２５とを備えた操作パネル２０が設置されていることを特徴としている。
【０００７】
請求項２記載の隔離室への給水システムは、前記隔離室１内には、便器３と、手洗い器４とが設置されており、
前記フラッシュバルブ１２，１３が、前記便器３への給水を制御する便器側バルブ１２と、前記手洗い器４への給水を制御する手洗い器側バルブ１３とからなることを特徴としている。
【０００８】
請求項３記載の隔離室への給水システムは、前記切換えスイッチ２５にて前記隔離室側の押しボタンスイッチ５，６による近傍操作及び前記看守室側の押しボタンスイッチ２１，２２による遠隔操作の両方を不能にしたときには、前記フラッシュバルブ１２，１３への給電が遮断されることを特徴としている。
【考案の効果】
【０００９】
本考案による隔離室への給水システムによれば、看守は、看守室側の押しボタンスイッチの点灯によって隔離室の入室者による隔離室側の押しボタンスイッチの操作（近傍操作）を看守室に居ながら認識可能となる。また、隔離室側の押しボタンスイッチによる近傍操作を可能又は不能に切り換えることができるとともに、看守室側の押しボタンスイッチによる遠隔操作を可能にすることができるため、入室者が水を流し続けたり、用便後に故意に水を流さなかったりするなどの悪戯行為を抑止することができる。この結果、隔離室内の衛生状態を良好に維持することが可能となる。さらに、水の浪費を抑えることが可能となり、節水効果が得られる。
【００１０】
また、隔離室側の押しボタンスイッチによる近傍操作及び看守室側の押しボタンスイッチによる遠隔操作の両方の操作を不能に切り換えると、フラッシュバルブへの給電が遮断されるようになるため、例えば隔離室が空室のときなどに不要な給電を抑えることが可能となり、節電効果が得られる。
【考案を実施するための最良の形態】
【００１１】
以下、本考案の実施の形態を図面を参照して具体的に説明する。
図１は本考案による隔離室への給水システムが適用された隔離室を示す平面図、図２は隔離室に設置された密閉箱型ケースの内部を示す背面図、図３は看守室に設置された操作パネルを示す正面図、図４は給水システムのブロック構成図である。
【００１２】
例えば病院や拘置所などの収容施設では各室がコンクリートなどの壁に区画されており、その中でも隔離室は、看守室から最も離れた場所にある。図１に示すように、隔離室１は、収容施設内の他室と同様にコンクリートなどの壁２で仕切られている。隔離室１は、前室１ａを備えており、隔離室１の主室と前室１ａの間、前室１ａと室外の間にはそれぞれ図示しない扉が設けられている。
【００１３】
また、隔離室１内には、入室者の用足しなどのために便器と、手洗い器とが設置されている。図１において、符号３はＳＵＳ製の水洗式便器であり、符号４は同じくＳＵＳ製の手洗い器である。これらの便器３や手洗い器４は、入室者がケガなどしないように、突起部が極力排除されているとともに、角などが丸みをおびて形成されている。
【００１４】
さらに、隔離室１内には、上述した便器３と手洗い器４に水を流すときに入室者が押すための押しボタンスイッチ５，６が、その操作面だけを表出させて壁２内に埋め込まれて設置されている。なお、各押しボタンスイッチ５，６は、入室者が押しやすいような任意の位置に設置されている。
【００１５】
また、隔離室１の壁２内には、後述するフラッシュバルブや配管などが収容された密閉箱型ケース７が埋め込まれて設置されている。このケース７も便器３や手洗い器４と同様にＳＵＳ製である。なお、前室１ａ内の壁面には、後述する前室操作パネル３０が設けられている。また、図１の右側には、看守室８に設置されている後述する操作パネル２０を示している。
【００１６】
図２に示すように、密閉箱型ケース７の内部には、一次配管１０と、二次配管１１とが配設されている。一次配管１０は、水道源からケース５内に給水させる水道源側管路Ｗ（図１参照）に接続されている。二次配管１１は、隔離室１内に設置された前記便器３に給水させる便器側管路Ｔ（図１参照）に接続されている。なお、図１に示すように、便器側管路Ｔは隔離室１の床下に埋設されている。一次配管１０と二次配管１１は、ケース７内において前述したフラッシュバルブ（便器側バルブ１２）を介して接続されている。一次配管１０には、前述したフラッシュバルブ（手洗い器側バルブ１３）を介して、一次配管１０から手洗い器４までを導水接続させる導水管１４が分岐して設けられている。なお、図１に示すように、導水管１４は隔離室１の床下に埋設されている。また、一次配管１０には、水道源からの給水量を調整するための図示しない手動バルブが設けられている。
【００１７】
上述した便器側バルブ１２には電気作動式のフラッシュバルブ、即ち、自動フラッシュバルブが採用されている。このバルブ１２は、入室者が便器側の押しボタンスイッチ５を押して電気信号が出力されると、図示しない接続管内を流れる圧力水によって開放され、この結果、便器側管路Ｔに水が流れるようになる。
【００１８】
また、手洗い器側バルブ１３には、便器側バルブ１２と同様に電気作動式のフラッシュバルブ、即ち、自動フラッシュバルブが採用されており、入室者が手洗い器側の押しボタンスイッチ６を押して電気信号が出力されると、導水管１４内を圧力水が流れて開放され、この結果、図示しない吐水口から水が流れるようになる。
【００１９】
なお、密閉箱型ケース７は、その背面が隔離室１外に表出しており、室外から背面扉を開けてケース７内のフラッシュバルブや配管などを保守・点検することができる。また、図２における符号１５は背面扉の施錠装置であり、符号１６は、この給水システムを作動させるための配電装置である。
【００２０】
ここから、看守室に設置されている前述した操作パネルについて説明する。
図１に示すように、隔離室１内に向けて給水制御しているフラッシュバルブ（便器側バルブ１２、手洗い器側バルブ１３）は、看守室８に設置されている操作パネル２０と電気的に接続されており、看守が看守室８から遠隔操作することができる。なお、入室者が隔離室１内から便器３や手洗い器４に水を流すために各押しボタンスイッチ５，６を押すことを近傍操作という。
【００２１】
図３には操作パネル２０を拡大して示している。図示のように、操作パネル２０の表面の操作面には、便器側バルブ１２を遠隔操作（開閉）するための押しボタンスイッチ２１と、手洗い器側バルブ１３を遠隔操作するための押しボタンスイッチ２２と、切換えスイッチ２５とが配設されている。
【００２２】
各押しボタンスイッチ２１，２２は照光式であり、接点状態に応じて押しボタンスイッチ自体が点灯するものである。点灯した押しボタンスイッチは再度押すことで接点が切り換わり、消灯する。各押しボタンスイッチ２１，２２は、機能的には操作部２３と、発光部２４とを備えている。つまり、各押しボタンスイッチ２１，２２は、操作部２３による各バルブ１２，１３を遠隔操作する機能と、発光部２４による各バルブ１２，１３が近傍操作されたことを発光表示する機能とを備えている。
【００２３】
切換えスイッチ２５は、三つの接点によるモード切換えが可能である。切換えスイッチ２５が、第一モードとなる「切」モードを示しているときは、隔離室側の押しボタンスイッチ５，６による近傍操作及び看守室側の押しボタンスイッチ２１，２２による遠隔操作の両方の操作が不能となり、第二モードとなる「手元」モードを示しているときは、隔離室側の押しボタンスイッチ５，６による近傍操作を不能にして看守室側の押しボタンスイッチ２１，２２による遠隔操作のみが可能となり、第三モードとなる「遠方」モードを示しているときは、隔離室側の押しボタンスイッチ５，６による近傍操作のみが可能となる。
【００２４】
なお、切換えスイッチ２５が、「切」モード（第一モード）及び「遠方」モード（第三モード）を示しているときは、前室操作パネル３０に配設されている後述する押しボタンスイッチ３１，３２（図１参照）は操作不能となり、「手元」モード（第二モード）を示しているときは、押しボタンスイッチ３１，３２は操作可能となる。
【００２５】
また、この実施の形態は、隔離室１に設置されている密閉箱型ケース７の内部の配電装置１６に制御部１６ａを備えている。切換えスイッチ２５が各モードを選択したときの制御部１６ａによる制御を具体的に説明すると、図４に示すように、切換えスイッチ２５が「切」モード（第一モード）を示しているときには、制御部１６ａでは隔離室１内のフラッシュバルブ（便器側バルブ１２、手洗い器側バルブ１３）の給電を遮断するように制御する。
【００２６】
切換えスイッチ２５が「手元」モード（第二モード）を示しているときには、隔離室側の押しボタンスイッチ５，６による近傍操作によって信号が制御部１６ａに出力されるが、制御部１６ａでは隔離室１内のフラッシュバルブ１２，１３に開信号を出力しないように制御する。これと同時に、制御部１６ａでは看守室側の押しボタンスイッチ２１，２２の発光部２４に点灯信号を出力するように制御する。これにより、看守室側の押しボタンスイッチ２１，２２が点灯する。さらに、制御部１６ａでは看守室側の押しボタンスイッチ２１，２２による遠隔操作によって出力された信号に基づいて隔離室内のフラッシュバルブ１２，１３を開放する（開信号を出力する）ように制御する。なお、切換えスイッチ２５が「手元」モード（第二モード）を示しているときは、看守室側の押しボタンスイッチ２１，２２による遠隔操作が常時可能となる。
【００２７】
切換えスイッチ２５が「遠方」モード（第三モード）を示しているときには、隔離室側の押しボタンスイッチ５，６による近傍操作によって信号が出力されると、制御部１６ａでは隔離室１内のフラッシュバルブ１２，１３に開信号を出力するように制御する。同時に、制御部１６ａでは看守室側の押しボタンスイッチ２１，２２による遠隔操作によって出力された信号を遮断するように制御する。
【００２８】
なお、上述したような切換えスイッチ２５のモード切換えは一般的な回路構成によって実現可能なものである。
【００２９】
また、図１に示すように、この実施の形態では、隔離室１における前室１ａに前述した前室操作パネル３０が設置されている。前室操作パネル３０の操作面には、隔離室１内の便器３と手洗い器４に水を流すための前述した押しボタンスイッチ３１，３２が配設されており、切換えスイッチ２５が「手元」モード（第二モード）を選択していれば操作可能となる。
【００３０】
上述した実施の形態によれば、看守は、看守室側の押しボタンスイッチ２１，２２の点灯によって隔離室１の入室者による隔離室側の押しボタンスイッチ５，６の近傍操作を看守室８に居ながら認識可能となる。また、隔離室側の押しボタンスイッチ５，６による近傍操作を可能又は不能に切り換えることができるとともに、看守室側の押しボタンスイッチ２１，２２による遠隔操作を可能にすることができるため、入室者が水を流し続けているときには隔離室側の押しボタンスイッチ５，６による近傍操作を不能にすることでこの悪戯行為を抑止することができるとともに、入室者が故意に水を流さないようなときには看守室側の押しボタンスイッチ２１，２２による遠隔操作によって水を流してやることでこの悪戯行為を抑止することができる。この結果、隔離室１内の衛生状態を良好に維持することが可能となる。さらに、水の浪費を抑えることが可能となり、節水効果が得られる。
【００３１】
また、隔離室側の押しボタンスイッチ５，６による近傍操作及び看守室側の押しボタンスイッチ２１，２２による遠隔操作の両方の操作を不能に切り換えると、フラッシュバルブ１２，１３への給電が遮断されるようになるため、例えば隔離室１が空室のときなどに不要な給電を抑えることが可能となり、節電効果が得られる。
【００３２】
さらに、フラッシュバルブ１２，１３や配管１０，１１などが箱型密閉ケース７に収容されていることによって入室者からは手が届かないようになり、これらを破壊する行為を抑止することが可能となる。
【００３３】
なお、上述した実施の形態では、手洗い器４に埋込み式の手洗い器を採用し、隔離室１の壁２内に埋め込んで設置される構成としてもよい。これにより、隔離室１内における突起部を更に排除することが可能となり、入室者がケガなどする危険性を更に低減することができるようになる。
【００３４】
また、密閉箱型ケース７の内部には、その空いたスペースにペーパーホルダーが設けられてもよい。この場合、ペーパーホルダーは、例えばスリット状のペーパー引出口を隔離室１内の壁面から表出させ、隔離室１内からはロールペーパー本体を取り出せないようになっている。なお、ロールペーパー本体は隔離室１外から交換可能である。
【図面の簡単な説明】
【００３５】
【図１】本考案による隔離室への給水システムが適用された隔離室を示す平面図である。
【図２】隔離室に設置された密閉箱型ケースの内部を示す背面図である。
【図３】看守室に設置された操作パネルを示す正面図である。
【図４】給水システムのブロック構成図である。
【符号の説明】
【００３６】
１…隔離室
２…壁
３…便器
４…手洗い器
５…（隔離室側における便器側の）押しボタンスイッチ
６…（隔離室側における手洗い器側の）押しボタンスイッチ
７…密閉箱型ケース
８…看守室
１２…便器側バルブ（フラッシュバルブ）
１３…手洗い器側バルブ（フラッシュバルブ）
２０…操作パネル
２１…（看守室側における便器側の）押しボタンスイッチ
２２…（看守室側における手洗い器側の）押しボタンスイッチ
２５…切換えスイッチ
【図１】
0003145285.tif 000003
【図２】
0003145285.tif 000004
【図３】
0003145285.tif 000005
【図４】
0003145285.tif 000006